【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
コンピュータが実行する方法であって、
ユーザに関連付けられている通知を生成する工程と、
前記通知を受信する適格を有する複数のユーザ・デバイスを識別する工程であって、各ユーザ・デバイスは前記ユーザに関連付けられており、かつ、前記ユーザが前記通知と対話することに応じて承認を提供するように構成されている、前記工程と、
前記複数のユーザ・デバイスにおけるユーザ・デバイスからユーザ対話が受信される頻度を含むプロファイルに少なくとも部分的に基づき、前記複数のユーザ・デバイスから１つのユーザ・デバイスを選択する工程と、
選択されたユーザ・デバイスに前記通知を送信する工程と、
前記選択されたユーザ・デバイスに対し送信された以前のメッセージについて前記選択されたユーザ・デバイスから受信された１組の承認時間を識別する工程と、
前記選択されたユーザ・デバイスについて、前記選択されたユーザ・デバイスの前記１組の承認時間の分布における降下点に基づき、前記承認時間のパーセンタイルを決定する工程と、
決定した前記承認時間のパーセンタイルに対応するパーセンタイル承認時間を決定する工程と、
前記パーセンタイル承認時間に基づき承認遅延期間を決定する工程と、
前記承認遅延期間内に承認が受信されないことに応じて、
前記プロファイルに少なくとも部分的に基づき、追加のユーザ・デバイスを選択する工程と、
前記承認遅延期間内に承認が受信されないことに応じて、前記プロファイルに少なくとも部分的に基づき、追加のユーザ・デバイスを選択する工程と、
前記通知を受信する適格を有する前記複数のユーザ・デバイスから前記選択されたユーザ・デバイスを除去する工程と、
選択された追加のユーザ・デバイスに前記通知を送信する工程と、
を備える方法。
【請求項２】
追加のユーザ・デバイスを選択する工程は、前記追加のユーザ・デバイスに関連付けられている追加の承認遅延期間を決定する工程を含む、請求項１に記載の方法。
【請求項３】
前記追加の承認遅延期間内に前記選択された追加のユーザ・デバイスから承認が受信されない場合、前記複数のユーザ・デバイスから別のユーザ・デバイスを選択する工程をさらに備える、請求項２に記載の方法。
【請求項４】
前記選択されたユーザ・デバイスは、最も最近に対話が受信されたユーザ・デバイスである、請求項１に記載の方法。
【請求項５】
前記選択されたユーザ・デバイスは、ユーザ対話が最も高い頻度で受信されるユーザ・デバイスである、請求項１に記載の方法。
【請求項６】
ユーザ対話が受信される前記頻度は、時刻に対する頻度である、請求項１に記載の方法。
【請求項７】
コンピュータが実行する方法であって、
ユーザを識別する通知を生成する工程と、
複数のユーザ・デバイスにおけるユーザ・デバイスからユーザ対話が受信される頻度を含むプロファイルに少なくとも部分的に基づき、前記ユーザに関連付けられているユーザ・デバイスを選択する工程と、
前記ユーザ・デバイスに通知を送信する工程であって、該ユーザ・デバイスは、前記ユーザが前記通知と対話することに応じて前記通知の承認を提供するように構成されている、前記工程と、
前記選択されたユーザ・デバイスに対し送信された以前のメッセージについて前記選択されたユーザ・デバイスから受信された１組の承認時間を識別する工程と、
前記選択されたユーザ・デバイスについて、前記選択されたユーザ・デバイスの前記１組の承認時間の分布における降下点に基づき、前記承認時間のパーセンタイルを決定する工程と、
決定した前記承認時間のパーセンタイルに対応するパーセンタイル承認時間を決定する工程と、
前記パーセンタイル承認時間に基づき承認遅延期間を決定する工程と、
前記承認遅延期間内に前記ユーザ・デバイスから前記承認が受信されるか否かを判定する工程と、
前記プロファイルに少なくとも部分的に基づき、前記承認遅延期間内に前記ユーザ・デバイスから前記承認が受信されなかったと判定することに応じて、前記ユーザに関連付けられている前記複数のユーザ・デバイスのうちの追加のユーザ・デバイスに前記通知を送信する工程と、
を備える方法。
【請求項８】
前記ユーザ・デバイスは、ユーザ対話が最も高い頻度で受信されるユーザ・デバイスである、請求項７に記載の方法。
【請求項９】
対話が受信される前記頻度は、時刻に対する頻度である、請求項７に記載の方法。
【請求項１０】
前記承認遅延期間内に前記追加のユーザ・デバイスから前記承認が受信されなかったと判定することに応じて、前記ユーザに関連付けられている前記複数のユーザ・デバイスのうちの代わりのユーザ・デバイスに前記通知を送信する工程をさらに備える、請求項７に記載の方法。
【請求項１１】
前記代わりのユーザ・デバイスから前記通知の承認を受信することに応じて、前記ユーザ・デバイスに送信されるとともに前記追加のユーザ・デバイスに送信される前記通知を除去する工程をさらに備える、請求項１０に記載の方法。
【請求項１２】
前記承認遅延期間は、前記ユーザ・デバイスに関連付けられているユーザ・アクティビティに基づく、請求項７に記載の方法。
【請求項１３】
命令の記憶されている非一時的なコンピュータ可読記憶媒体であって、前記命令は、プロセッサによって実行されるとき、前記プロセッサに、
ユーザに関連付けられている通知を生成する工程と、
前記通知を受信する適格を有する複数のユーザ・デバイスを識別する工程であって、各ユーザ・デバイスは前記ユーザに関連付けられており、かつ、前記ユーザが前記通知と対話することに応じて承認を提供するように構成されている、前記工程と、
前記複数のユーザ・デバイスにおけるユーザ・デバイスからユーザ対話が受信される頻度を含むプロファイルに少なくとも部分的に基づき、前記複数のユーザ・デバイスから１つのユーザ・デバイスを選択する工程と、
選択されたユーザ・デバイスに前記通知を送信する工程と、
前記選択されたユーザ・デバイスに対し送信された以前のメッセージについて前記選択されたユーザ・デバイスから受信された１組の承認時間を識別する工程と、
前記選択されたユーザ・デバイスについて、前記選択されたユーザ・デバイスの前記１組の承認時間の分布における降下点に基づき、前記承認時間のパーセンタイルを決定する工程と、
決定した前記承認時間のパーセンタイルに対応するパーセンタイル承認時間を決定する工程と、
前記パーセンタイル承認時間に基づき承認遅延期間を決定する工程と、
前記承認遅延期間内に承認が受信されないことに応じて、
前記プロファイルに少なくとも部分的に基づき、追加のユーザ・デバイスを選択する工程と、
前記承認遅延期間内に承認が受信されないことに応じて、前記プロファイルに少なくとも部分的に基づき、追加のユーザ・デバイスを選択する工程と、
前記通知を受信する適格を有する前記複数のユーザ・デバイスから前記選択されたユーザ・デバイスを除去する工程と、
選択された追加のユーザ・デバイスに前記通知を送信する工程と、
を実行させる、媒体。
【請求項１４】
追加のユーザ・デバイスを選択する工程は、前記追加のユーザ・デバイスに関連付けられている追加の承認遅延期間を決定する工程を含む、請求項１３に記載の媒体。
【請求項１５】
前記追加の承認遅延期間内に前記選択された追加のユーザ・デバイスから承認が受信されない場合、前記複数のユーザ・デバイスから別のユーザ・デバイスを選択する工程をさらに備える、請求項１４に記載の媒体。
【請求項１６】
前記承認遅延期間は、前記選択されたユーザ・デバイスに関連付けられているユーザ・アクティビティに基づく、請求項１３に記載の媒体。
【請求項１７】
前記選択されたユーザ・デバイスは、最も最近に対話が受信されたユーザ・デバイスである、請求項１３に記載の媒体。
【請求項１８】
前記選択されたユーザ・デバイスは、ユーザ対話が最も高い頻度で受信されるユーザ・デバイスである、請求項１３に記載の媒体。
【請求項１９】
ユーザ対話が受信される前記頻度は、時刻に対する頻度である、請求項１３に記載の媒体。
【請求項２０】
命令を実行するように構成されたプロセッサと、
命令の記憶されているメモリと、を備えるシステムであって、前記命令は、前記プロセッサによって実行されるとき、前記プロセッサに、
ユーザに関連付けられている通知を生成する工程と、
前記通知を受信する適格を有する複数のユーザ・デバイスを識別する工程であって、各ユーザ・デバイスは前記ユーザに関連付けられており、かつ、前記ユーザが前記通知と対話することに応じて承認を提供するように構成されている、前記工程と、
前記複数のユーザ・デバイスにおけるユーザ・デバイスからユーザ対話が受信される頻度を含むプロファイルに少なくとも部分的に基づき、前記複数のユーザ・デバイスから１つのユーザ・デバイスを選択する工程と、
選択されたユーザ・デバイスに前記通知を送信する工程と、
前記選択されたユーザ・デバイスに対し送信された以前のメッセージについて前記選択されたユーザ・デバイスから受信された１組の承認時間を識別する工程と、
前記選択されたユーザ・デバイスについて、前記選択されたユーザ・デバイスの前記１組の承認時間の分布における降下点に基づき、前記承認時間のパーセンタイルを決定する工程と、
決定した前記承認時間のパーセンタイルに対応するパーセンタイル承認時間を決定する工程と、
前記パーセンタイル承認時間に基づき承認遅延期間を決定する工程と、
前記承認遅延期間内に承認が受信されないことに応じて、
前記プロファイルに少なくとも部分的に基づき、追加のユーザ・デバイスを選択する工程と、
前記承認遅延期間内に承認が受信されないことに応じて、前記プロファイルに少なくとも部分的に基づき、追加のユーザ・デバイスを選択する工程と、
前記通知を受信する適格を有する前記複数のユーザ・デバイスから前記選択されたユーザ・デバイスを除去する工程と、
選択された追加のユーザ・デバイスに前記通知を送信する工程と、
を実行させる、システム。
【請求項２１】
追加のユーザ・デバイスを選択する工程は、前記追加のユーザ・デバイスに関連付けられている追加の承認遅延期間を決定する工程を含む、請求項２０に記載のシステム。
【請求項２２】
前記追加の承認遅延期間内に前記選択された追加のユーザ・デバイスから承認が受信されない場合、前記複数のユーザ・デバイスから別のユーザ・デバイスを選択する工程をさらに備える、請求項２０に記載のシステム。
【請求項２３】
前記承認遅延期間は、前記選択されたユーザ・デバイスに関連付けられているユーザ・アクティビティに基づく、請求項２０に記載のシステム。
【請求項２４】
前記選択されたユーザ・デバイスは、最も最近に対話が受信されたユーザ・デバイスである、請求項２０に記載のシステム。
【請求項２５】
前記選択されたユーザ・デバイスは、ユーザ対話が最も高い頻度で受信されるユーザ・デバイスである、請求項２０に記載のシステム。
【請求項２６】
ユーザ対話が受信される前記頻度は、時刻に対する頻度である、請求項２０に記載のシステム。